(57)【特許請求の範囲】
【請求項１】
遊技機関連部材を収容する遊技機関連部材収容ボックスであって、
底面を構成する底部と、
前記底部の上側に設けられる枠部と、
前記枠部に対して折り曲げ可能に接続され、互いに対向する二つの側面を構成する第一側板部と、
前記底部および前記枠部に対して折り曲げ可能に接続されるとともに、当該折り曲げ可能な接続箇所の間に位置する折り曲げ可能な屈曲部を有し、前記第一側板部とは異なる互いに対向する二つの側面を構成する第二側板部と、
を備え、
前記第一側板部および前記第二側板部が上下方向に延びた状態とされることにより、前記底部、前記第一側板部、および前記第二側板部に囲まれる前記遊技機関連部材の収容空間が形成される第一状態、または
前記第一側板部がその下側縁を内側に移動させるようにして前記枠部に対して内側に折り曲げられ、かつ、前記第二側板部が前記屈曲部を内側に移動させるようにして前記底部および前記枠部に対して折り曲げられることで、前記第一状態よりも全体の外郭が小さくなるように折り畳まれた第二状態のいずれかの状態に変位可能とされ、
前記第一側板部の内側には、前記第一状態にあるときに前記収容空間の上方にある挿入口から挿入される前記遊技機関連部材が、前記収容空間内における所定位置に位置するように誘導する誘導溝が形成され、
前記枠部には、前記収容空間への挿入口を封鎖する蓋部と、前記収容空間の挿入口を開放した状態、または当該挿入口の一部を覆う状態に変位可能な押え部と、が接続され、
当該押え部は、前記挿入口を封鎖する前記蓋部に押えられることによって当該挿入口の一部を覆う状態となるとともに、前記収容空間内に収容された前記遊技機関連部材の上端に接触して押さえるように構成されていることを特徴とする遊技機関連部材収容ボックス。
【請求項２】
前記誘導溝は、前記第一側板部の内面から内側に向かって突出した上下方向に延びる二つの誘導突起の間の溝であり、
当該二つの誘導突起の幅が上側よりも下側の方が大きく形成されることにより、前記誘導溝は上側よりも下側の方が狭くなるように構成したことを特徴とする請求項１に記載の遊技機関連部材収容ボックス。
【請求項３】
前記底部には、その内面から上方に向かって突出した、前記収容空間内に収容された前記遊技機関連部材の下端に接触する受け部が形成され、
前記第一状態において、前記受け部の両端は前記誘導溝の下端に位置することを特徴とする請求項１または請求項２に記載の遊技機関連部材収容ボックス。
【請求項４】
前記枠部の外側の面、およびこの枠部の外側の面と同じ側に位置する前記底部の外側の面の一方には、前記第二状態において他方に設けられた第一被接合部に接合可能な第一接合部が設けられていることを特徴とする請求項１から請求項３のいずれか一項に記載の遊技機関連部材収容ボックス。
【請求項５】
前記枠部の外側の面、およびこの枠部の外側の面と同じ側に位置する前記蓋部の外側の面の一方には、前記蓋部が前記収納空間の挿入口を封鎖した状態にあるときにおいて他方に設けられた第二被接合部に接合可能な第二接合部が設けられていることを特徴とする請求項１から請求項４のいずれか一項に記載の遊技機関連部材収容ボックス。
【請求項６】
前記枠部の外側の面に、前記第一接合部および前記第二接合部が一体的に形成された接合部材が設けられていることを特徴とする請求項４を引用する請求項５に記載の遊技機関連部材収容ボックス。
【発明の詳細な説明】
【技術分野】
【０００１】
本発明は、遊技機関連部材を収容するボックスに関する。
【背景技術】
【０００２】
例えば下記特許文献１に記載されるように、遊技盤等の遊技機関連部材は段ボールに収容されて出荷されることが多い。
【先行技術文献】
【特許文献】
【０００３】
【特許文献１】特開２００３−９３６２３号公報
【発明の概要】
【発明が解決しようとする課題】
【０００４】
このような段ボールによる梱包では、段ボールを組み立ててボックスとする手間がかかる、使い捨てであるため不経済である、といった問題がある。また、運搬時の振動等によって収容物である遊技機関連部材が破損等してしまい、不良品となってしまうことも多い。
【０００５】
本発明は、運搬時における遊技機関連部材の破損等の発生を低減することが可能な遊技機関連部材収容ボックスを提供することを目的とする。
【課題を解決するための手段】
【０００６】
上記課題を解決するためになされた請求項１の発明にかかる遊技機関連部材収容ボックスは、底面を構成する底部と、前記底部の上側に設けられる枠部と、前記枠部に対して折り曲げ可能に接続され、互いに対向する二つの側面を構成する第一側板部と、前記底部および前記枠部に対して折り曲げ可能に接続されるとともに、当該折り曲げ可能な接続箇所の間に位置する折り曲げ可能な屈曲部を有し、前記第一側板部とは異なる互いに対向する二つの側面を構成する第二側板部と、を備え、前記第一側板部および前記第二側板部が上下方向に延びた状態とされることにより、前記底部、前記第一側板部、および前記第二側板部に囲まれる前記遊技機関連部材の収容空間が形成される第一状態、または前記第一側板部がその下側縁を内側に移動させるようにして前記枠部に対して内側に折り曲げられ、かつ、前記第二側板部が前記屈曲部を内側に移動させるようにして前記底部および前記枠部に対して折り曲げられることで、前記第一状態よりも全体の外郭が小さくなるように折り畳まれた第二状態のいずれかの状態に変位可能とされ、前記第一側板部の内側には、前記第一状態にあるときに前記収容空間の上方にある挿入口から挿入される前記遊技機関連部材が、前記収容空間内における所定位置に位置するように誘導する誘導溝が形成され、前記枠部には、前記収容空間への挿入口を封鎖する蓋部と、前記収容空間の挿入口を開放した状態、または当該挿入口の一部を覆う状態に変位可能な押え部と、が接続され、当該押え部は、前記挿入口を封鎖する前記蓋部に押えられることによって当該挿入口の一部を覆う状態となるとともに、前記収容空間内に収容された前記遊技機関連部材の上端に接触して押さえるように構成されていることを特徴とする。
【０００７】
請求項２に記載の発明は、請求項１に記載の遊技機関連部材収容ボックスにおいて、前記誘導溝は、前記第一側板部の内面から内側に向かって突出した上下方向に延びる二つの誘導突起の間の溝であり、当該二つの誘導突起の幅が上側よりも下側の方が大きく形成されることにより、前記誘導溝は上側よりも下側の方が狭くなるように構成したことを特徴とする。
【０００８】
請求項３に記載の発明は、請求項１または請求項２に記載の遊技機関連部材収容ボックスにおいて前記底部には、その内面から上方に向かって突出した、前記収容空間内に収容された前記遊技機関連部材の下端に接触する受け部が形成され、前記第一状態において、前記受け部の両端は前記誘導溝の下端に位置することを特徴とする。
【００１１】
請求項４に記載の発明は、請求項１から請求項３のいずれか一項に記載の遊技機関連部材収容ボックスにおいて、前記枠部の外側の面、およびこの枠部の外側の面と同じ側に位置する前記底部の外側の面の一方には、前記第二状態において他方に設けられた第一被接合部に接合可能な第一接合部が設けられていることを特徴とする。
【００１２】
請求項５に記載の発明は、請求項１から請求項４のいずれか一項に記載の遊技機関連部材収容ボックスにおいて、前記枠部の外側の面、およびこの枠部の外側の面と同じ側に位置する前記蓋部の外側の面の一方には、前記蓋部が前記収納空間の挿入口を封鎖した状態にあるときにおいて他方に設けられた第二被接合部に接合可能な第二接合部が設けられていることを特徴とする。
【００１３】
請求項６に記載の発明は、請求項４を引用する請求項５に記載の遊技機関連部材収容ボックスにおいて、前記枠部の外側の面に、前記第一接合部および前記第二接合部が一体的に形成された接合部材が設けられていることを特徴とする。
【発明の効果】
【００１４】
請求項１に記載の発明にかかる遊技機関連部材収容ボックスは、遊技機関連部材を収容する際に誘導する誘導溝が設けられているため、収容作業が行いやすいし、収容された遊技機関連部材が収容空間内で動くことによる破損等を防止することが可能である。また、使用しないときには全体の外郭が小さくなるように折り畳むことができるため、保管や運搬が容易である。また、折り畳まれた第二状態から両側板部を起立させることで簡単に遊技機関連部材を収容することができる第一状態とすることが可能である。つまり、梱包作業の効率を向上させることが可能である。
また、枠部に収容空間の入口を封鎖する蓋部が設けられているから、遊技機関連部材の梱包がさらに容易になる。
また、収容空間内に収容された遊技機関連部材の上端に接触して押さえる押え部が設けられているから、収容された遊技機関連部材が動いてしまうことが抑制され、運搬時の破損等が発生するおそれさらに低減することが可能である。
【００１５】
請求項２に記載の発明のように、誘導突起の幅が上側よりも下側の方が大きく形成されていれば、誘導溝は上側の方が幅広になるから、遊技機関連部材を収容空間内の所定位置に収容しやすくなる。また、第一側板部を起立させたときに幅太である誘導突起の下端面が底面（底部）に接触するようにすれば、その誘導突起によって起立する第一側板部が安定した状態（第一側板部に対し外力が作用した際に当該第一側板部が倒れてしまうこと等を抑制することが可能）となる。つまり、誘導突起が、収容される遊技機関連部材を所定位置に誘導する機能、起立した状態にある第一側板部を安定した状態とする機能の二つの機能を発揮する構成とすることが可能である。
【００１６】
請求項３に記載の発明のように、収容された遊技機関連部材を受ける受け部を形成すれば、遊技機関連部材に対する衝撃を低減することが可能となる。また、この受け部の両端が誘導溝の下端に位置する（誘導溝内に入り込む）構成とすれば、受け部が形成された底部に対し、誘導溝が形成された第一側板部が傾いてしまうことを抑制することが可能であるし、第一側板部を起立させる際、上側に比べて狭くなっている誘導溝の下側に受け部が入り込みつつ第一側板部が起立していくから、ボックスを第二状態から第一状態にすること（ボックスを成形すること）が容易になる。つまり、受け部が、遊技機関連部材に対する衝撃を低減する機能以外の機能を発揮する構成とすることが可能である。
【００１９】
請求項４に記載の発明のように、第二状態において第一被接合部に接合可能な第一接合部が設けられていれば、両者の接合を解消しなければボックスを第二状態から第一状態に変化させることができなくなる。つまり、第一被接合部および第一接合部によってボックスが第二状態に維持される構成となるため、保管や運搬時（非使用時）の利便性に優れたボックスとすることが可能である。
【００２０】
請求項５に記載の発明のように、第二被接合部に接合可能な第二接合部が設けられていれば、収容空間の入口を封鎖する蓋部が不用意に開放してしまうことを防止することが可能である。
【００２１】
請求項６に記載の発明のように、上記第一接合部および第二接合部は、一体的な部材とすることが可能である。
【図面の簡単な説明】
【００２２】
【図１】本発明の一実施形態にかかる遊技機関連部材収容ボックス（第一状態）の外観図であって、蓋部が封鎖位置に位置した状態を示したものである。
【図２】本発明の一実施形態にかかる遊技機関連部材収容ボックス（第一状態）の外観図であって、蓋部が開放位置に位置する状態を示したものである。
【図３】本発明の一実施形態にかかる遊技機関連部材収容ボックスの外観図であって、蓋部が開放位置に、第一側板部が若干内側に折り曲げられた状態を示したものである。
【図４】本発明の一実施形態にかかる遊技機関連部材収容ボックスの外観図であって、蓋部が開放位置に、第一側板部が内側に、第二側板部が若干内側に折り曲げられた状態を示したものである。
【図５】本発明の一実施形態にかかる遊技機関連部材収容ボックス（第二状態）の外観図であって、蓋部が開放位置に位置した状態を示したものである。
【図６】本発明の一実施形態にかかる遊技機関連部材収容ボックス（第二状態）の外観図であって、蓋部が閉鎖位置に位置した状態を示したものである。
【図７】本発明の一実施形態にかかる遊技機関連部材収容ボックスに遊技機関連部材の一例である遊技盤ユニットが収容された状態を示したものである。
【図８】（ａ）は収容空間の平面図（上から見た図）であり、（ｂ）は（ａ）に示したＡ−Ａ線断面を模式的に示した図である。
【発明を実施するための形態】
【００２３】
以下、本発明の一実施形態にかかる遊技機関連部材収容ボックス１（以下単に収容ボックス１と称することもある）について説明する。本実施形態にかかる収容ボックス１は、後述する第一状態にあるときに、遊技機関連部材を収容する収容空間Ｓを構築するものであって、底部１０、枠部２０、第一側板部３０、および第二側板部４０を備える。以下で各部材の形状等を説明する場合は、特に明示した場合を除き、収容ボックス１が第一状態にあるときを主体にして説明するものとする。
【００２４】
底部１０は、収容空間Ｓの底面を構成するものである。枠部２０は、底部１０の上側に設けられる方形状の枠体である。第一側板部３０は、枠部２０における対向する二つの下側縁に接続された板状の部分である。各第一側板部３０は、枠部２０に対して折り曲げ可能に接続されている。後述する第一状態となったときには、両第一側板部３０は対向する。具体的には収容空間Ｓの対向する二つの側面を構成する。第二側板部４０は、上記第一側板部３０が接続されていない、枠部２０における対向する二つの下側縁、および底部１０における対向する二つの下側縁に接続された板状の部分である。各第二側板部４０は、枠部２０および底部１０に対して折り曲げ可能に接続されている。また、各第二側板部４０における枠部２０および底部１０に対して折り曲げ可能に接続された箇所の間（本実施形態では各第二側板部４０の上下方向における略中央）には、各第二側板部４０自体を折り曲げることが可能な屈曲部４１が形成されている。後述する第一状態となったときには、両第二側板部４０は対向する。具体的には収容空間Ｓの対向する二つの側面（第一側板部３０が構成する二つの側面以外の側面）を構成する。
【００２５】
上記第一側板部３０および第二側板部４０が上下方向に延びた第一状態（図１、図２、図７に示した状態）とされると、底部１０、第一側板部３０、第二側板部４０によって、遊技機関連部材が収容可能な収容空間Ｓが構築される。一方、この第一状態にある収容ボックス１を、その下側縁を内側に移動させるようにして両第一側板部３０を枠部２０に対して内側に折り曲げ、かつ、屈曲部４１を内側に移動させるようにして底部１０および枠部２０に対して両第二側板部４０を折り曲げることで、収容ボックス１は第二状態（図５や図６に示した状態）に変位する。このように第一側板部３０および第二側板部４０を内側に折り曲げると、底部１０と枠部２０の間に存在していた上下方向に延びる板状の部分が上下方向に直交する平面方向に延びるように態様（姿勢）を変化させるということであるから、底部１０と枠部２０が近づいた状態となる。つまり、第二状態は、第一状態よりも全体の外郭が小さくなるように折り畳まれた状態である。このように、本実施形態にかかる収容ボックス１は、第一状態と第二状態のいずれかに変位可能である。
【００２６】
図１〜図６に示すように、枠部２０の外側の面（本実施形態では、第二側板部４０が接続された側の対向する二面）には、第一接合部２１が設けられている。また、同じ側に位置する底部１０の外側の面には、第一接合部２１に接合可能な第一被接合部１１が設けられている。本実施形態では、第一接合部２１と第一被接合部１１は、いわゆる面ファスナである。つまり、第一接合部２１および第一被接合部１１は、一方に対し他方が接合された状態と、接合が解消された状態を繰り返すことが可能である。なお、接合部・被接合部には明確な区別があるわけではない。一方に対し他方が一定の接合力で繰り返し接合可能なものであればよい（以下で説明する第二接合部２２・第二被接合部５１、第三接合部３３・第三被接合部１３の関係も同じ）。第一接合部２１は、略中央が枠部２０に固定され、上下方向に延びる帯状の布の下端に取り付けられている。この帯状の布の上端には、後述する第二接合部２２が取り付けられており、帯状の布を介して両接合部が一体化された接合部材２３が構成される。収容ボックス１が第二状態となると、枠部２０と底部１０が近づく。具体的には、収容ボックス１が第二状態となると、帯状の布に取り付けられた第一接合部２１が、底部１０の第一被接合部１１に接合可能な位置まで両者が近づく。この第二状態で第一接合部２１と第一被接合部１１を接合させることで、その接合力によって、収容ボックス１が折り畳まれた状態が維持されることになる。
【００２７】
第一側板部３０には、誘導突起３１が設けられている。誘導突起３１は、第一側板部３０の内面（すなわち、収容空間Ｓを構成する二面）から内側に向かって突出した上下方向に延びる突起である（図７および図８参照）。誘導突起３１は、弾性体（例えば発泡体）で形成される。本実施形態では、一の第一側板部３０に三つの誘導突起３１が設けられている（以下、これらを区別して、真中の誘導突起３１を中誘導突起３１ｃと、外側の二つの誘導突起３１を外側誘導突起３１ｓと称することもある）。このような構成であるため、中誘導突起３１ｃと一方の外側誘導突起３１ｓの間、および中誘導突起３１ｃと他方の外側誘導突起３１ｓの間には、上下方向に延びる溝が形成される。この溝が、収容空間Ｓ内における所定位置に位置するように遊技機関連部材を誘導する誘導溝３２となる。
【００２８】
この誘導溝３２の幅は、上側よりも下側の方が小さい。具体的には、中誘導突起３１ｃと一方の外側誘導突起３１ｓの間隔、および中誘導突起３１ｃと他方の外側誘導突起３１ｓの間隔が上側よりも下側の方が小さくなるように両誘導突起３１が形成される。さらに具体的には、上側の最も幅が広い部分３２１と、下側の最も幅が狭い部分３２２との間には、だんだんと下方に向かって幅が狭くなるように傾斜した部分（テーパ状の部分３２３）が形成される（図８（ｂ）参照）。
【００２９】
底部１０には、受け部１４が設けられている（図７および図８参照）。受け部１４は、底部１０の内面（すなわち、収容空間Ｓの底面）から上方に向かって突出した突起である。受け部１４は、弾性体（例えば発泡体）で形成される。本実施形態では、一方の第一側板部３０側から他方の第一側板部３０側に延びる二つの受け部１４が設けられている。収容ボックス１が第一状態にあるとき、受け部１４の両端は誘導溝３２の下端（最も幅が狭い部分３２２）に入り込む。つまり、中誘導突起３１ｃの下端と外側誘導突起３１ｓの下端との間に挟まれる。誘導溝３２の最も狭い部分の幅を、受け部１４の幅よりも若干小さく形成し、受け部１４が誘導溝３２の下端の内側に入り込むと、弾性体で形成された誘導突起３１と受け部１４が互いに押しつぶしあうように変形した状態となるようにしてもよい。
【００３０】
枠部２０には、蓋部５０が接続されている。具体的には、蓋部５０は、枠部２０の一の側縁に対し、枠部２０の上側の開口、すなわち収容空間Ｓの入口（遊技機関連部材の挿入口）となる開口を覆う封鎖位置と、開口を開放する開放位置との間を変位可能に接続されている。封鎖位置に位置するときに収容空間Ｓ側に位置する面には、後述する押え部６０に接触する押圧突起５２が設けられている（図４参照）。
【００３１】
図１〜図７に示すように、枠部２０の外側の面（本実施形態では、第二側板部４０が接続された側の対向する二面）には、第二接合部２２が設けられている。また、同じ側に位置する蓋部５０の外側の面には、第二接合部２２に接合可能な第二被接合部５１が設けられている。本実施形態では、第二接合部２２と第二被接合部５１は、いわゆる面ファスナである。第二接合部２２は、略中央が枠部２０に固定され、上下方向に延びる帯状の布の上端に取り付けられている。つまり、帯状の布の下端に上述した第一接合部２１が、下端に第二接合部２２が取り付けられることで、両接合部が一体化された接合部材２３が構成される。蓋部５０が封鎖位置に位置すると、帯状の布に取り付けられた第二接合部２２が、蓋部５０の第一被接合部１１に接合可能な位置まで両者が近づく。この状態で第二接合部２２と第二被接合部５１を接合させることで、その接合力によって、蓋部５０が収容ボックス１の挿入口を封鎖した状態が維持されることになる。
【００３２】
また、枠部２０には、押え部６０が接続されている（図２〜図５、図７参照）。具体的には、押え部６０は、枠部２０の対向する二つの側縁に対し、枠部２０の上側の開口、すなわち収容空間Ｓの入口（遊技機関連部材の挿入口）の少なくとも一部を覆う押え位置と、開口を開放する非押え位置との間を変位可能に接続されている。押え部６０は、枠部２０に接続された板状体６１、およびこの板状体６１に固定された接触部６２を有する。接触部６２は、板状体６１の収容空間Ｓ側に位置する面に固定されている。接触部６２は弾性体（例えば発泡体）で形成されている。接触部６２には、蓋部５０が押え位置に位置するとき、収容空間Ｓに収容された遊技機関連部材の上端の一部が入り込む固定溝６２１が形成されている。
【００３３】
本実施形態では、枠部２０の一方の側縁に接続された押え部６０と、他方の側縁に接続された押え部６０は、それぞれ二つに分割されている。分割された一方の構成と、他方の構成は、その境界面を対称面とする面対称形状である。後述するように、本実施形態の収容ボックス１は、二つの遊技機関連部材が収容可能に形成されており、枠部２０の各側縁に接続された押え部６０における分割された一方の構成は、一の遊技機関連部材を押さえ、分割された他方の構成は、もう一つの遊技機関連部材を押さえる。
【００３４】
また、第一側板部３０の外側の面における下端には、第三接合部３３が設けられている。一方、底部１０には、その周縁より上方に向かって起立した周壁１２が形成されており、その第一側板部３０側の内面には、第三被接合部１３が設けられている（図３等参照）。本実施形態では、第三接合部３３と第三被接合部１３は、いわゆる面ファスナである。第一側板部３０を起立させた状態とすると、第三接合部３３と第三被接合部１３が接合される。
【００３５】
以下、上記構成を備える収容ボックス１の作用（遊技機関連部材の収容構造等）について、一部上記説明と重複するが詳細に説明する。
【００３６】
図５や図６に示す第二状態（折り畳まれた状態）にある収容ボックス１は、次のように第一状態（収容空間Ｓが形成された状態）とされる。図４に示すように底部１０に近づいた状態にある枠部２０を持ち上げつつ、枠部２０に対して内側に折り曲げられていた第一側板部３０を起立させる。第一側板部３０が起立するにつれて、屈曲部４１が内側に向かうように折り曲げられていた第二側板部４０も、当該屈曲部４１の屈曲角度が大きくなっていき（起立していき）（図３参照）、折り曲げられていた第二側板部４０の折り曲がりがなくなり当該第二側板部４０が起立する。第一側板部３０が起立する過程で、第一側板部３０に設けられた誘導溝３２（中誘導突起３１ｃと外側誘導突起３１ｓの間）に、底部１０に設けられた受け部１４が入り込む。第一側板部３０が完全に起立すると、第一側板部３０に設けられた第三接合部３３が、底部１０に設けられた第三被接合部１３に接合され、これにより第一側板部３０が収容空間Ｓ側に移動するのが抑制され、収容ボックス１の第一状態が維持される。また、誘導溝３２の下端（最も幅が狭い部分３２２）に受け部１４の両端が入り込んだ状態になる。これにより、底部１０の周縁から第一側板部３０および第二側板部４０が起立したような状態となり、収容空間Ｓが形成される（図２参照）。すなわち、収容ボックス１が第一状態となる。収容ボックス１が第一状態となると、第一側板部３０の各誘導突起３１の下端は底部１０の上面（収容空間Ｓの底面）に接触する（図８（ｂ）に示した状態となる）。
【００３７】
第一状態となった収容ボックス１内に、収容対象物である遊技機関連部材は次のように収容される。本実施形態の収容対象物は、遊技機の遊技盤ユニット９０（遊技機を構成する部品のうち、下皿や上皿、発射装置等、機種を問わず共通する部品（ユニット）以外で構成される構造物。遊技盤や役物、制御基板、これらを支持するベース部材等から構成される）である。遊技盤ユニット９０は、大まかに見て、遊技盤に該当する板状の部分（以下、単に板部９１と称する）と、そこから後方に突出した制御基板等が配されている部分（以下、単に突出部９２と称する）を含む。
【００３８】
遊技盤ユニット９０は、収容ボックス１の上側の開口（挿入口）から挿入する。具体的には、板部９１の幅方向両側縁が誘導溝３２内に入り込み、突出部９２が外側誘導突起３１ｓよりもさらに外側に位置するように挿入する。そのまま誘導溝３２に沿って遊技盤ユニット９０を下降させていくと、板部９１の幅方向両側縁の下端が、誘導溝３２の幅が広い部分３２１からテーパ状の部分３２３に入り込み、最終的には最も幅が狭い部分３２２に入り込むようにして誘導される。つまり、遊技盤ユニット９０は、誘導溝３２によって収容空間Ｓ内における所定位置に位置するように誘導される。誘導溝３２の最も幅が狭い部分３２２は、板部９１の厚みよりも若干小さく形成されているとよい。板部９１によって押された中誘導突起３１ｃおよび外側誘導突起３１ｓが弾性変形し、当該変形した両誘導突起３１に板部９１が挟まれた状態となって遊技盤ユニット９０の動きが規制されるからである。このようにして誘導された遊技盤ユニット９０の板部９１の下側縁は、受け部１４に接触する。つまり、遊技盤ユニット９０が収容空間Ｓ内における所定位置に位置する（図７参照）。本実施形態では、二つの遊技盤ユニット９０が収容可能である。当該二つの遊技盤ユニット９０は、収容空間Ｓ内で対向配置（遊技盤面が向かい合うように配置）される。
【００３９】
二つの遊技盤ユニット９０を収容空間Ｓ内における所定位置に位置させた後、押え部６０を内側に屈曲させる。そうすると、板部９１の上側縁が押え部６０の固定溝６２１内に入り込む（図７参照）。その状態で蓋部５０を封鎖位置に変位させる。本実施形態では、蓋部５０における枠体に接続されている側の反対側と、当該側に位置する第一側板部３０に一対のロック部材（一方のロック部材７１および他方のロック部材７２）が設けられている。当該ロック部材は蓋部５０と一方の第一側板部３０を着脱自在に接続ことができるものであればどのようなものであってもよい。本実施形態ではいわゆるインシュロックが用いられている。一方のロック部材７１と他方のロック部材７２を結合することにより、蓋部５０における他方のロック部材７２が設けられた側と一方の第一側板部３０とが接続される。
【００４０】
また、蓋部５０が封鎖位置に変位すると、枠部２０に設けられた第二接合部２２と、蓋部５０に設けられた第二被接合部５１が接合可能になる。両者を接合することによって、蓋部５０と枠部２０の接合強度がさらに高まる。このように、閉鎖位置に位置した蓋部５０が一対のロック部材の結合や第二接合部２２と第二被接合部５１の接合によって枠部２０や一方の第一側板部３０に接続されることにより、収容空間Ｓの挿入口が蓋部５０によって封鎖される。
【００４１】
蓋部５０が封鎖位置に位置すると、当該蓋部５０に設けられた押圧突起５２が押え部６０（板状体６１）の上面に接触する。これにより、遊技盤ユニット９０は、押え部６０によって上から押さえつけられる。このようにして、遊技盤ユニット９０は、押え部６０と受け部１４の間に上下方向から挟まれるとともに、幅方向両側は誘導溝３２内に入り込んだ状態で収容空間Ｓ内に収容される（図１に示す状態となる）。したがって、収容ボックス１に対し振動や衝撃等が加わっても、当該振動等によるエネルギの少なくとも一部は、受け部１４や押え部６０といった弾性体で形成された部材によって吸収されるし、遊技盤ユニット９０が収容空間Ｓ内で大きく動いてしまうといったこともない。
【００４２】
第一状態にある収容ボックス１を折り畳んで第二状態とする手順は次の通りである。図２に示すような収容空間Ｓ内に何も収容されていない状態で第一側板部３０を内側（収容空間Ｓ側）に押し、第三接合部３３と第三被接合部１３の接合状態を解消させる（図３参照）。第一側板部３０がその下側縁を内側に移動させるようにして枠部２０に対して内側に折り曲げられると、枠部２０と底部１０の間には第二側板部４０のみが存在している状態となる。そのため、枠部２０および蓋部５０の重みによって、第二側板部４０は屈曲部４１を内側に移動させるようにして底部１０および枠部２０に対して折り曲がる（図４参照）。第二側板部４０が折り曲げられると、枠部２０と底部１０が近づき、最終的には枠部２０と底部１０の間に折り曲げられた第一側板部３０と第二側板部４０が挟まれた状態になる（図５参照）。これにより、枠部２０に設けられた第一接合部２１と、底部１０に設けられた第一被接合部１１が接合可能な状態となる。第一接合部２１と第一被接合部１１を接合させることにより、底部１０と枠部２０が互いに離れる方向に変位することが防止される。すなわち、折り畳まれた状態（第二状態）が維持される。なお、蓋部５０と枠部２０は、折り畳まれた状態（第二状態）で蓋部５０を封鎖位置に位置させることで、上述した第二接合部２２と第二被接合部５１の接合によって接続された状態が維持される。内側に折り曲げられた一方の第一側板部３０から一方のロック部材７１を引き出し、この引き出したロック部材を蓋部５０に設けられた他方のロック部材７２と結合させることにより、蓋部５０が動かないように維持してもよい（図６参照）。
【００４３】
以上説明した本実施形態にかかる遊技機関連部材収容ボックス１によれば、次のような効果が奏される。
【００４４】
収容ボックス１には、遊技機関連部材を収容する際に誘導する誘導溝３２が設けられているため、収容作業が行いやすいし、遊技機関連部材（遊技盤ユニット９０）における板部９１の両側部が一対の誘導溝３２間に収容されるため、収容された遊技機関連部材が収容空間Ｓ内で（前後または左右に）動くことによる破損等を防止することが可能である。また、誘導突起３１の幅が上側よりも下側の方が大きく形成されることによって、誘導溝３２は上側の方が幅広になるから、遊技機関連部材を収容空間Ｓ内の所定位置に収容しやすい。それとともに、第一側板部３０を起立させたとき、幅太である誘導突起３１の下端面が底面（底部１０）に接触するため、その誘導突起３１によって起立する第一側板部３０が安定した状態（第一側板部３０に対し外力が作用した際に当該第一側板部３０が倒れてしまうこと等を抑制することが可能）となる。つまり、誘導突起３１は、収容される遊技機関連部材を所定位置に誘導する機能、起立した状態にある第一側板部３０を安定した状態とする機能、という二つの機能を発揮する。
【００４５】
底部１０に設けられた受け部１４によって、遊技機関連部材（下部側）に対する衝撃を低減することが可能である。また、収容ボックス１が第一状態とされたとき、受け部１４の両端は、誘導溝３２の下端に位置する（誘導溝３２内に入り込む）。そのため、受け部１４が形成された底部１０に対し、誘導溝３２が形成された第一側板部３０が傾いてしまうことを抑制することが可能である。また、第二状態にある収容ボックス１を第一状態とするために第一側板部３０を起立させる際、上側に比べて狭くなっている誘導溝３２の下側に受け部１４が入り込みつつ第一側板部３０が起立していくから、ボックスを第二状態から第一状態にすること（ボックスを成形すること）が容易になる。つまり、受け部１４が、遊技機関連部材に対する衝撃を低減する機能以外の作用を発揮する。
【００４６】
また、収容空間Ｓ内に収容された遊技機関連部材の上端に接触して押さえる押え部６０が設けられているため、収容された遊技機関連部材が（上方側に）動いてしまうのを抑制することが可能である。よって、第一状態で遊技機関連部材（遊技盤ユニット９０）を収納した際には、少なくとも誘導溝３２（誘導突起３１）や受け部１４、押え部６０（蓋部５０）によって、遊技機関連部材（遊技盤ユニット９０）の前後・左右・上下を押さえているため、収容された遊技機関連部材（遊技盤ユニット９０）が収容空間Ｓ内で動いてしまうのを抑制することが可能である。
【００４７】
収容ボックス１が第二状態にあるとき、第一被接合部１１に第一接合部２１を接合することが可能である。つまり、第一接合部２１と第一被接合部１１を接合すれば、収容ボックス１が第二状態に維持される（枠部２０を持ち上げても枠部２０と底部１０が離れてしまうことがない）構成となるため、保管や運搬時（非使用時）の利便性に優れる。また、段ボールと違って保管がしやすく、壊れにくい等により汎用性を高めることが可能となる。
【００４８】
第一状態で収容空間Ｓの挿入口を封鎖するときや、第二状態において蓋部５０と枠部２０を接合するために用いられる第一接合部２１と、第二状態において枠部２０と底部１０を接合するために用いられる第二接合部２２は、接合部材２３に一体的に設けられた構成とすることが可能である。また、上記実施形態では、第二状態にあるときに第一接合部２１と第一被接合部１１が接続可能となるように構成されているが、これとは別に第一状態にあるときに第一接合部２１が接続可能な被接合部が第二側板部４０に設けられていてもよい。
【００４９】
以上、本発明の実施の形態について詳細に説明したが、本発明は上記実施の形態に何ら限定されるものではなく、本発明の要旨を逸脱しない範囲で種々の改変が可能である。
【符号の説明】
【００５０】
１  遊技機関連部材収容ボックス
１０  底部
１１  第一被接合部
１４  受け部
２０  枠部
２１  第一接合部
２２  第二接合部
２３  接合部材
３０  第一側板部
３１  誘導突起
３１ｃ  中誘導突起
３１ｓ  外側誘導突起
３２  誘導溝
４０  第二側板部
４１  屈曲部
５０  蓋部
５１  第二被接合部
５２  押圧突起
６０  押え部
９０  遊技盤ユニット（遊技機関連部材）
Ｓ  収容空間
【要約】      （修正有）【課題】運搬時における遊技機関連部材の破損等の発生を低減することが可能な遊技機関連部材収容ボックスの提供。【解決手段】第一側板部３０および第二側板部４０が上下方向に延びた状態とされることにより、底部１０、第一側板部３０、および第二側板部４０に囲まれる収容空間Ｓが形成される第一状態、または第一側板部３０がその下側縁を内側に移動させるようにして枠部２０に対して内側に折り曲げられ、かつ、第二側板部４０が屈曲部４１を内側に移動させるようにして底部１０および枠部２０に対して折り曲げられることで、折り畳まれた第二状態のいずれかの状態に変位可能とされ、第一側板部３０の内側には、第一状態にあるときに収容空間Ｓの上方にある挿入口から挿入される遊技機関連部材が、収容空間Ｓ内における所定位置に位置するように誘導する誘導溝３２が形成されている。【選択図】図２【図１】
0005567712.tif 000002
【図２】
0005567712.tif 000003
【図３】
0005567712.tif 000004
【図４】
0005567712.tif 000005
【図５】
0005567712.tif 000006
【図６】
0005567712.tif 000007
【図７】
0005567712.tif 000008
【図８】
0005567712.tif 000009